(57)【要約】【課題】導水路内を流れる洗浄水の勢いが弱まることを抑制することができることにより、ボウル部の洗浄性能及び便器本体からの汚物の排出性能を向上させることができる水洗大便器を提供する。【解決手段】本発明の水洗大便器１は、ボウル部１６と、ボウル部の下方にその入口が接続され汚物を排出する排水トラップ管路２４と、を有する便器本体２と、底面に形成された排水口から洗浄水を排出する洗浄水タンク６と、洗浄水タンクの排水口の下部からボウル部に延びる導水路２０と、を備え、導水路２０には、導水路に導入された洗浄水の縮流をガイドする縮流ガイド部が形成され、縮流ガイド部は、排水口８の前端８ａよりも後方側において、少なくとも一部が導水路２０の側壁２０ａから左右中央側に向けて突出する突出壁部２０ｂを備えている。【選択図】図２
2019011560.tif 000002
【特許請求の範囲】
【請求項１】
洗浄水により便器を洗浄して汚物を排出する水洗大便器であって、
ボウル形状の汚物受け面及び上縁にあるリム部を備えたボウル部と、このボウル部の下方にその入口が接続され汚物を排出する排水トラップ管路と、を有する便器本体と、
内部に洗浄水を貯水し、底面に形成された排水口から洗浄水を排出する洗浄水タンクと、
上記洗浄水タンクの排水口の下部から上記ボウル部に延びる導水路と、を備え、
上記導水路には、上記導水路に導入された縮流状態の洗浄水をガイドする縮流ガイド部が形成され、
上記縮流ガイド部は、上記排水口の前端よりも後方側において、少なくとも一部が上記導水路の側壁から左右中央側に向けて突出する突出壁部を備えている水洗大便器。
【請求項２】
上記縮流ガイド部の上記突出壁部は、上記洗浄水タンクの排水口の真下と重なる位置まで突出する請求項１に記載の水洗大便器。
【請求項３】
上記縮流ガイド部の上記突出壁部の間の流路の幅は、上記突出壁部より下流側の上記導水路の流路の幅と同じになるように形成されている請求項１又は２に記載の水洗大便器。
【請求項４】
上記縮流ガイド部の上記突出壁部の天面は、上記導水路の後部の底面とほぼ同じ高さに設けられている請求項１乃至３の何れか１項に記載の水洗大便器。
【請求項５】
上記縮流ガイド部は、上記洗浄水タンクの上記排水口の真下の上記導水路の底面に、左右両側から左右中央へ向けて下る第１傾斜面を備えている請求項１乃至４の何れか１項に記載の水洗大便器。
【請求項６】
上記縮流ガイド部は、上記導水路の底面が上記洗浄水タンクの上記排水口の真下から下流側に向けて下方へ傾斜する第２傾斜面を備えている請求項１乃至５の何れか１項に記載の水洗大便器。
【請求項７】
上記便器本体は、さらに、上記導水路から供給された洗浄水を上記排水トラップ管路の入口に向けて供給するジェット吐水口を有している請求項１乃至６のいずれか１項に記載の水洗大便器。
【請求項８】
サイホン式の水洗大便器である請求項７に記載の水洗大便器。
【発明の詳細な説明】
【技術分野】
【０００１】
本発明は、水洗大便器に係り、特に、洗浄水により便器を洗浄して汚物を排出する水洗大便器に関する。
【背景技術】
【０００２】
従来から、洗浄水により便器を洗浄して汚物を排出する水洗大便器として、例えば、特許文献１に記載されているように、洗浄水タンクの底面に形成された排水口から洗浄水を導水路に供給し、洗浄水を導水路からリム吐水口やジェット吐水口へ供給するようになっているものが知られている。
【先行技術文献】
【特許文献】
【０００３】
【特許文献１】特開２０１５−１６８９９４号公報
【発明の概要】
【発明が解決しようとする課題】
【０００４】
しかしながら、特許文献１に示すような水洗大便器では、導水路内において生じる洗浄水の流れの圧力損失が大きくなると、導水路からリム吐水口やジェット吐水口に供給される洗浄水の勢いが弱くなり、ボウル部の洗浄性能や便器本体からの汚物の排出性能が低下してしまうという課題がある。特に、近年の節水化の要請に伴い、洗浄水タンクから便器本体へ供給される洗浄水量が低減される場合、洗浄水量が減ったことにより洗浄水の勢いが弱く、ボウル部の洗浄性能や便器本体からの汚物の排出性能の確保は重要な課題である。また、近年のローシルエットタイプの貯水タンクにおいて、水頭圧が減ったことにより洗浄水の勢いが弱くなる場合にも、ボウル部の洗浄性能や便器本体からの汚物の排出性能の確保は重要な課題である。
【０００５】
そこで、本発明は、上述した従来技術の問題点を解決するためになされたものであり、導水路内における洗浄水の流れの圧力損失を抑制でき、導水路内を流れる洗浄水の勢いが弱まることを抑制することができることにより、ボウル部の洗浄性能及び便器本体からの汚物の排出性能を向上させることができる水洗大便器を提供することを目的としている。
【課題を解決するための手段】
【０００６】
上記の目的を達成するために、本発明は、洗浄水により便器を洗浄して汚物を排出する水洗大便器であって、ボウル形状の汚物受け面及び上縁にあるリム部を備えたボウル部と、このボウル部の下方にその入口が接続され汚物を排出する排水トラップ管路と、を有する便器本体と、内部に洗浄水を貯水し、底面に形成された排水口から洗浄水を排出する洗浄水タンクと、上記洗浄水タンクの排水口の下部から上記ボウル部に延びる導水路と、を備え、上記導水路には、上記導水路に導入された縮流状態の洗浄水をガイドする縮流ガイド部が形成され、上記縮流ガイド部は、上記排水口の前端よりも後方側において、少なくとも一部が上記導水路の側壁から左右中央側に向けて突出する突出壁部を備えていることを特徴としている。
このように構成された本発明においては、縮流ガイド部の突出壁部は、排水口の前端よりも後方側において、少なくとも一部が導水路の側壁から左右中央側に向けて突出するように形成されている。これにより、導水路内において洗浄水の縮流された状態を維持する能力を向上させることができる。よって、導水路内における洗浄水の流れの圧力損失を抑制でき、導水路内を流れる洗浄水の勢いが弱まることを抑制することができる。従って、ボウル部の洗浄性能及び便器本体からの汚物の排出性能を向上させることができる。
【０００７】
本発明において、好ましくは、上記縮流ガイド部の上記突出壁部は、上記洗浄水タンクの排水口の真下と重なる位置まで突出する。
このように構成された本発明においては、縮流ガイド部の突出壁部は、排水口の前端よりも後方側において、少なくとも一部が導水路の側壁から左右中央側に向けて洗浄水タンクの排水口の真下と重なる位置まで突出するように形成されている。これにより、導水路内において洗浄水の縮流された状態を維持する能力を向上させることができる。よって、導水路内における洗浄水の流れの圧力損失をより抑制でき、導水路内を流れる洗浄水の勢いが弱まることをより抑制することができる。従って、ボウル部の洗浄性能及び便器本体からの汚物の排出性能をより向上させることができる。
【０００８】
本発明において、好ましくは、上記縮流ガイド部の上記突出壁部の間の流路の幅は、上記突出壁部より下流側の上記導水路の流路の幅と同じになるように形成されている。
このように構成された本発明においては、突出壁部から突出壁部より下流側まで導水路の流路の幅が同じになるように形成されているので、突出壁部から突出壁部より下流側まで導水路において洗浄水の縮流された状態がより容易に維持される。
【０００９】
本発明において、好ましくは、上記縮流ガイド部の上記突出壁部の天面は、上記導水路の後部の底面とほぼ同じ高さに設けられている。
このように構成された本発明においては、排水口と縮流ガイド部の突出壁部の天面との間の空間を排水口と導水路の後部の底面との間の空間と同じ程度に確保することができる。よって、本発明によれば、洗浄水タンクの排水弁装置を、排水口より下方まで延び且つ排水口の下面側に係合する排水弁装置の固定金具を利用して、排水口に固定することができる。
【００１０】
本発明において、好ましくは、上記縮流ガイド部は、上記洗浄水タンクの上記排水口の真下の上記導水路の底面に、左右両側から左右中央へ向けて下る第１傾斜面を備えている。
このように構成された本発明においては、排水口を通って縮流された状態で導水路に導入される洗浄水は、排水口の真下の底面に形成された第１傾斜面により、導水路の左右中央に集められ、縮流された状態をより確実に維持することができる。
【００１１】
本発明において、好ましくは、上記縮流ガイド部は、上記導水路の底面が上記洗浄水タンクの上記排水口の真下から下流側に向けて下方へ傾斜する第２傾斜面を備えている。
このように構成された本発明においては、第２傾斜面により、導水路内を流下する洗浄水の勢いを強めるとともに導水路内において洗浄水の縮流された状態をより確実に維持することができる。
【００１２】
本発明において、好ましくは、上記便器本体は、さらに、上記導水路から供給された洗浄水を上記排水トラップ管路の入口に向けて供給するジェット吐水口を有している。
このように構成された本発明においては、ジェット吐水口から排水トラップ管路の入口に供給される洗浄水の勢いが弱まることが抑制され、便器本体からの汚物の排出性能を向上させることができる。
【００１３】
本発明において、好ましくは、上記水洗大便器はサイホン式の水洗大便器である。
このように構成された本発明においては、ジェット吐水口からボウル部に供給される洗浄水の勢いが弱まることが抑制されるので、排水トラップ管路内においてサイホン作用を発生させやすくさせることができる。
【発明の効果】
【００１４】
本発明の水洗大便器によれば、導水路内における洗浄水の流れの圧力損失を抑制でき、導水路内を流れる洗浄水の勢いが弱まることを抑制することができることにより、ボウル部の洗浄性能及び便器本体からの汚物の排出性能を向上させることができる。
【図面の簡単な説明】
【００１５】
【図１】本発明の一実施形態による水洗大便器の洗浄水タンク装置の下部及び便器本体の側面断面図である。
【図２】本発明の一実施形態による水洗大便器の洗浄水タンク及び便器本体内の流路の構造を概略的に示した上面図である。
【図３】図２のＩＩＩ−ＩＩＩ線に沿って見た断面図である。
【発明を実施するための形態】
【００１６】
まず、図１及び図２により、本発明の一実施形態による水洗大便器について説明する。
本発明の一実施形態による水洗大便器１は、陶器製の便器本体２と、この便器本体２の上面後方に形成された洗浄水タンク装置４を備えている。洗浄水タンク装置４は、便器本体２を洗浄するための洗浄水を貯える洗浄水タンク６を備えている。この洗浄水タンク６の底部６ａには、円形の排水口８が設けられている。洗浄水タンク６は、自身の高さが比較的低く形成されているいわゆるローシルエットタンクである。また、水洗大便器１は、洗浄水タンク６から供給される洗浄水量が３リットル乃至６リットルの範囲である節水タイプの水洗大便器、好ましくは４．８リットル乃至６リットルの範囲である節水タイプの水洗大便器である。
以下、本発明の実施形態において、便器本体２を使用する使用者側から見て便器本体２の手前側を前方側とし、使用者から見て奥側を後方側とし、便器本体２を前方から見て右側を右側とし、前方から見て左側を左側とする。
【００１７】
洗浄水タンク装置４の洗浄水タンク６内には、この洗浄水タンク６内に洗浄水を供給する給水装置（図示せず）と、洗浄水タンク６に貯えられた洗浄水について排水口８を開放して便器本体２に流出させる排水弁装置１０が設けられている。この排水弁装置１０は、いわゆる、チェーン引き上げ式の直動型の排水弁装置であり、操作装置（図示せず）の操作によりチェーン１２が引き上げられることによって弁体１４が上昇して洗浄水タンク６の排水口８が開放されるようになっている。排水弁装置１０は、洗浄水タンク６の排水口８の内側から下方まで延び且つ排水口８の下面と係合するように回動する取付金具により便器本体２に固定されてもよい。
【００１８】
本実施形態における水洗大便器１は、いわゆるツーピースの水洗大便器として、便器本体２と洗浄水タンク装置４とが別体に形成されている。しかしながら、これに限られず、いわゆるワンピースの水洗大便器として、便器本体２と洗浄水タンク装置４とが一体的に形成されていてもよい。
特に、水洗大便器１を、ワンピースの水洗大便器とする場合には、排水弁装置１０が、洗浄水タンク６の排水口８の内側から下方まで延び且つ排水口８の下面と係合するように回動する取付金具により便器本体２に固定される必要がある。排水弁装置１０を取付金具によって便器本体２の開口部に取付固定するためには、排水口８の下方の導水路２０の最大左右幅（又は最大前後幅）が、排水口８の左右幅（又は前後幅）よりも大きく形成される必要がある。このように、排水口８の下方の導水路２０の最大左右幅を排水口８の左右幅よりも大きく形成する必要がある場合に、後述する突出壁部２０をあえて設けることにより、導水路に導入された縮流状態の洗浄水をガイドし、後述するように有利な作用効果を奏することができる。
【００１９】
便器本体２は、その前方側に設けられたボウル部１６を備えている。このボウル部１６は、ボウル形状に形成された汚物受け面１８と、便器本体２の上縁を形成するリム部１９と、を備えている。また、ボウル部１６の下方には、溜水部２２が形成されている。この溜水部２２には洗浄水が毎回の洗浄後に所定量まで貯溜されて溜水面Ｗ０が形成されている。また、便器本体２のボウル部１６の底部には、排水トラップ管路２４の入口２４ａが開口し、この排水トラップ管路２４は、上方に延びる上昇管２４ｂと、下方に延びる下降管２４ｃを備えている。この排水トラップ管路２４の形状から分かるように、本実施形態による水洗大便器１は、サイホン作用を利用してボウル部内の汚物を吸い込んで排水トラップ管路から一気に外部に排出する、いわゆる、サイホン式の水洗大便器である。
なお、水洗大便器１は、サイホン式の水洗大便器に限定されず、ボウル部内の水の落差による流水作用で汚物を押し流す、いわゆる、洗い落し式の水洗大便器等の他のタイプの水洗便器にも適用可能である。
【００２０】
つぎに、便器本体２は、洗浄水タンク６の排水口８の下部からボウル部１６に延びる導水路２０と、リム部１９の前方から見て左側中央に形成された第１リム吐水口２８と、リム部１９の前方から見て右側後方に形成された第２リム吐水口３０と、導水路２０から供給された洗浄水をボウル部１６に向けて供給するジェット吐水口３２と、を備えている。
【００２１】
ジェット吐水口３２は、ボウル部１６の底部に形成されており、排水トラップ管路２４の入口に指向してほぼ水平に配置され、洗浄水を排水トラップ管路２４の入口に向けてジェット吐水を行うようになっている。
変形例として、ジェット吐水口３２は、ボウル部１６の汚物受け面１８の前方から見て左側側面、もしくは右側側面のほぼ中央に位置する部分に配置されていてもよい。この場合には、ジェット吐水口３２は、洗浄水をボウル部１６の下部の排水トラップ管路２４の入口に向けてジェット吐水を行うようになっている。
【００２２】
つぎに、図１乃至図３により、本発明の一実施形態による水洗大便器の導水路について説明する。
導水路２０は、排水口８の下部からボウル部１６に向かって直線的に延びた後、分岐され、第１リム吐水口２８、第２リム吐水口３０又はジェット吐水口３２まで延びる。導水路２０には、導水路２０の左右の側壁２０ａから左右中央側に向けて突出する突出壁部２０ｂが形成されている。突出壁部２０ｂは、排水口８の前端８ａよりも後方側において、上面視で少なくとも一部が洗浄水タンク６の排水口８の真下と重なる位置まで突出している。突出壁部２０ｂは、排水口８の近傍領域における側壁２０ａの下側部分が内側に突出するように形成されている。突出壁部２０ｂは、左右中央側に向かう凸面部分を有するような凸状部分を形成している。突出壁部２０ｂは、導水路２０の流路の幅を狭めるように形成されている。突出壁部２０ｂは、導水路２０に導入された洗浄水の縮流をガイドする縮流ガイド部である。
【００２３】
導水路２０には、さらに、洗浄水タンク６の排水口８の真下の導水路２０の底面２０ｅに、左右両側から左右中央へ向けて下る第１傾斜面２０ｃが形成されている。第１傾斜面２０ｃは平板状の傾斜面を形成し、便器本体２の前後方向の中心軸線に対して左右対称に配置されている。
導水路２０には、さらに、導水路２０の底面２０ｅが洗浄水タンク６の排水口８の真下から下流側に向けて下方へ傾斜する第２傾斜面２０ｆが形成されている。第２傾斜面２０ｆは、排水口８の真下からボウル部１６に向かって下り傾斜を形成している。
【００２４】
突出壁部２０ｂの間の流路の幅Ｗ１は、突出壁部２０ｂより下流側の導水路２０の流路の幅Ｗ２と同じになるように形成されている。突出壁部２０ｂの間のしぼりを維持する程度の幅を持った導水路２０が排水口８の真下の一部からボウル部１６の近傍まで延びている。
突出壁部２０ｂの天面２０ｄは、導水路２０の後部の底面２０ｅとほぼ同じ高さに設けられている。また、突出壁部２０ｂの天面２０ｄは、洗浄水タンク６の排水口８の左右両端近傍及び後方側の真下における導水路２０の底面２０ｅとほぼ同じ高さに設けられている。よって、排水口８の真下に突出壁部２０ｂが形成されている場合においても、天面２０ｄと排水口８との間の取付スペースが確保され、排水弁装置１０を、排水口８より下方まで延び且つ排水口８の下面側に係合する排水弁装置１０の取付金具を利用して、排水口８に固定することができる。
【００２５】
つぎに、図１及び図２を参照して、本発明の一実施形態による水洗大便器１の動作及び作用について説明する。図１及び図２においては、洗浄水の流れを矢印で概略的に示している。
図１に示すように、使用者が操作装置を操作し、大洗浄モード又は小洗浄モードのいずれかの洗浄モードによる便器洗浄を開始すると、操作チェーン１２が引き上げられる。よって、弁体１４が上昇され、洗浄水タンク６の排水口８が開放される。矢印Ａ１に示すように、洗浄水タンク６内の洗浄水が排水口８の外周から内部の中央に向かって流入するので、矢印Ａ２に示すように、排水口８の中心に集まるような比較的細い縮流を形成する。排水口８を流下する洗浄水は、このような縮流した状態（縮流状態）で導水路２０内に流下される。
【００２６】
つぎに、図１及び図２において矢印Ａ３に示すように、導水路２０内に流入した洗浄水は、突出壁部２０ｂにより、左右方向に広がることが抑制され、洗浄水の縮流された状態を維持するようにガイドされる。洗浄水は、排水口８の下部から縮流された状態のまま導水路２０内を流下する。突出壁部２０ｂにより、導水路２０内に縮流された状態で導入された洗浄水の縮流状態を維持する能力を向上させることができる。よって、導水路２０内における洗浄水の流れの圧力損失が抑制されることができ、導水路２０内を流れる洗浄水の勢いが弱まることが抑制されることができる。
【００２７】
また、縮流された状態で導水路２０に導入される洗浄水は、排水口８の真下の底面２０ｅに形成された第１傾斜面２０ｃにより、導水路２０の左右中央に集められ、縮流された状態をより確実に維持する。また、第２傾斜面２０ｆにより、導水路２０内を流下する洗浄水の勢いを強めるとともに導水路２０内において洗浄水の縮流された状態をより確実に維持することができる。
【００２８】
さらに、突出壁部２０ｂから突出壁部２０ｂより下流側まで導水路２０の流路の幅が同じになるように形成されているので、矢印Ａ４に示すように、突出壁部２０ｂから突出壁部２０ｂより下流側まで導水路２０において洗浄水の縮流された状態がより容易に維持される。
【００２９】
導水路２０の洗浄水は、第１リム吐水口２８、第２リム吐水口３０及びジェット吐水口３２のそれぞれから吐水される。第１リム吐水口２８及び第２リム吐水口３０から吐水される洗浄水の勢いが弱まることを抑制されるので、ボウル部１６の洗浄性能を向上させることができる。また、ジェット吐水口３２から吐水される洗浄水の勢いが弱まることが抑制される。よってジェット吐水口３２から吐出された洗浄水は排水トラップ管路２４内に流入し、排水トラップ管路２４を比較的早期に且つ継続的に満水にしてサイホン現象を引き起こす。このサイホン現象により、ボウル部１６内の溜水及び汚物は、排水トラップ管路２４に吸引され、下流側の排水管に排出される。このように便器本体２からの汚物の排出性能を向上させることができる。
【００３０】
上述した本発明の一実施形態による水洗大便器１によれば、縮流ガイド部の突出壁部２０ｂは、排水口８の前端よりも後方側において、少なくとも一部が導水路２０の側壁から左右中央側に向けて突出するように形成されている。これにより、導水路２０内において洗浄水の縮流された状態を維持する能力を向上させることができる。よって、導水路２０内における洗浄水の流れの圧力損失を抑制でき、導水路２０内を流れる洗浄水の勢いが弱まることを抑制することができる。従って、ボウル部１６の洗浄性能及び便器本体２からの汚物の排出性能を向上させることができる。
【００３１】
また、本実施形態の水洗大便器１によれば、縮流ガイド部の突出壁部２０ｂは、排水口８の前端よりも後方側において、少なくとも一部が導水路２０の側壁から左右中央側に向けて洗浄水タンク６の排水口８の真下と重なる位置まで突出するように形成されている。これにより、導水路２０内において洗浄水の縮流された状態を維持する能力を向上させることができる。よって、導水路２０内における洗浄水の流れの圧力損失をより抑制でき、導水路２０内を流れる洗浄水の勢いが弱まることをより抑制することができる。従って、ボウル部１６の洗浄性能及び便器本体２からの汚物の排出性能をより向上させることができる。
【００３２】
また、本実施形態の水洗大便器１によれば、突出壁部２０ｂから突出壁部２０ｂより下流側まで導水路２０の流路の幅Ｗ１及びＷ２が同じになるように形成されているので、突出壁部２０ｂから突出壁部２０ｂより下流側まで導水路２０において洗浄水の縮流された状態がより容易に維持される。
【００３３】
さらに、本実施形態による水洗大便器１によれば、排水口８と縮流ガイド部の突出壁部２０ｂの天面２０ｄとの間の空間を排水口８と導水路の後部の底面との間の空間と同じ程度に確保することができる。よって、本発明によれば、洗浄水タンク６の排水弁装置１０を、排水口８より下方まで延び且つ排水口８の下面側に係合する排水弁装置１０の固定金具を利用して、排水口８に固定することができる。
【００３４】
さらに、本実施形態による水洗大便器１によれば、排水口８を通って縮流された状態で導水路２０に導入される洗浄水は、排水口８の真下の底面２０ｅに形成された第１傾斜面２０ｃにより、導水路２０の左右中央に集められ、縮流された状態をより確実に維持することができる。
【００３５】
さらに、本実施形態による水洗大便器１によれば、第２傾斜面２０ｆにより、導水路２０内を流下する洗浄水の勢いを強めるとともに導水路２０内において洗浄水の縮流された状態をより確実に維持することができる。
【００３６】
さらに、本実施形態による水洗大便器１によれば、ジェット吐水口３２からボウル部１６に供給される洗浄水の勢いが弱まることが抑制され、汚物排出性能を向上させることができる。
【００３７】
さらに、本実施形態による水洗大便器１によれば、ジェット吐水口３２から排水トラップ管路２４の入口に供給される洗浄水の勢いが弱まることが抑制されるので、排水トラップ管路２４内においてサイホン作用を発生させやすくさせることができる。
【符号の説明】
【００３８】
１            水洗大便器
２            便器本体
４            洗浄水タンク装置
６            洗浄水タンク
８            排水口
８ａ          前端
１０          排水弁装置
１６          ボウル部
２０          導水路
２０ａ        側壁
２０ｂ        突出壁部
２０ｃ        第１傾斜面
２０ｄ        天面
２０ｅ        底面
２０ｆ        第２傾斜面
２４          排水トラップ管路
３２          ジェット吐水口
Ａ１          矢印
Ａ２          矢印
Ａ３          矢印
Ａ４          矢印
Ｗ０          溜水面
Ｗ１          幅
Ｗ２          幅
【図１】
2019011560.tif 000003
【図２】
2019011560.tif 000004
【図３】
2019011560.tif 000005